(57)【要約】【課題】光伝送線路（光ファイバ心線）の曲げ損失特性に関わらず、遠隔から、光伝送線路（光ファイバ心線）の導通試験を行うことができる光伝送線路の遠隔試験・監視方法及び遠隔試験・監視システムを提供する。【解決手段】光ファイバ心線４の超音波励振部Ｐに設けた超音波励振装置５によって光ファイバ心線４の超音波励振部Ｐに超音波を励振することにより、前記超音波による音響光学効果によって光ファイバ心線４の超音波励振部Ｐに光の漏洩を発生させ、このときの光ファイバ心線４における後方散乱光の強度変動を、光ファイバ心線４の端部に設けたＯＴＤＲ２によって検知することにより、光ファイバ心線４における光の導通を検知する。【選択図】図１
2009020029.tif 000002
【特許請求の範囲】
【請求項１】
光伝送線路の超音波励振部に設けた超音波励振装置によって前記光伝送線路の超音波励振部に超音波を励振することにより、前記超音波による音響光学効果によって前記光伝送線路の超音波励振部に光の漏洩を発生させ、
このときの前記光伝送線路における後方散乱光の強度変動を、前記光伝送線路の端部に設けた光強度分布検知手段によって検知することにより、前記光伝送線路における光の導通を検知することを特徴とする光伝送線路遠隔試験・監視方法。
【請求項２】
請求項１に記載の光伝送線路遠隔試験・監視方法において、
前記超音波励振装置の発振周波数又は発振電力又は発振のＯｎ／Ｏｆｆ又はこれらの全てを、前記光伝送線路の端部に設けた制御器によって、電波による無線信号又は光ファイバによる光信号を用いて遠隔から制御することを特徴とする光伝送線路遠隔試験・監視方法。
【請求項３】
請求項１又は２に記載の光伝送線路遠隔試験・監視方法において、
前記光強度分布検知手段は、前記光伝送線路におけるレイリー散乱光を受光するＯＴＤＲ、又は、前記光伝送線路におけるブリルアン散乱光を受光するＯＴＤＲであることを特徴とする光伝送線路遠隔試験・監視方法。
【請求項４】
光伝送線路の超音波励振部に設けられ、前記光伝送線路の超音波励振部に超音波を励振することにより、前記超音波による音響光学効果によって前記光伝送線路の超音波励振部に光の漏洩を発生させる超音波励振装置と、
前記光伝送線路の端部に設けられ、前記超音波励振装置によって前記光伝送線路に超音波を励振したときの前記光伝送線路における後方散乱光の強度変動を検知することにより、前記光伝送線路における光の導通を検知する光強度分布検知手段と、
を有することを特徴とする光伝送線路遠隔試験・監視システム。
【請求項５】
第１光伝送線路を伝搬する光信号が分波器によって分波される複数の第２光伝送線路の何れか１つ又は２つ以上の超音波励振部に設けられ、前記第２光伝送線路の超音波励振部に超音波を励振することにより、前記超音波による音響光学効果によって前記第２光伝送線路の超音波励振部に光の漏洩を発生させる超音波励振装置と、
前記第１伝送線路の端部に設けられ、前記超音波励振装置によって前記第２光伝送線路に超音波を励振したときの前記第２光伝送線路における後方散乱光の強度変動を検知することにより、前記第２光伝送線路における光の導通を検知する光強度分布検知手段と、
を有することを特徴とする光伝送線路遠隔試験・監視システム。
【請求項６】
請求項４又は５に記載の光伝送線路遠隔試験・監視システムにおいて、
前記光伝送線路の端部又は前記第２光伝送線路の端部に設けられ、前記超音波励振装置の発振周波数又は発振電力又は発振のＯｎ／Ｏｆｆ又はこれらの全てを、電波による無線信号又は光ファイバによる光信号を用いて遠隔から制御する制御器を有することを特徴とする光伝送線路遠隔試験・監視システム。
【請求項７】
請求項４〜６の何れか１項に記載の光伝送線路遠隔試験・監視システムにおいて、
前記光強度分布検知手段は、前記光伝送線路もしくは前記第１光伝送線路及び前記第２光伝送線路におけるレイリー散乱光を受光するＯＴＤＲ、又は、前記光伝送線路もしくは前記第１光伝送線路及び前記第２光伝送線路におけるブリルアン散乱光を受光するＯＴＤＲであることを特徴とする光伝送線路遠隔試験・監視システム。
【発明の詳細な説明】
【技術分野】
【０００１】
本発明は、超音波を用いた光伝送線路の遠隔試験・監視方法及び遠隔試験・監視システムに関する。
【背景技術】
【０００２】
光伝送線路の保守・運用では、光伝送線路の故障の検出や導通状態を監視することが重要となる。従来、光伝送線路における光信号の導通を確認するためには、光伝送線路の任意の光ファイバ心線に対して曲げを付与することにより、この曲げによる漏洩光を検出する心線対照器が広く用いられている。
【０００３】
心線対照器が開示されている先行技術文献としては例えば次のものがある。
【非特許文献１】株式会社フジクラ、「光ファイバ小型心線対照器」、［online］、2003年10月、株式会社フジクラ、［平成19年6月11日検索］、インターネット＜URL: http://www.fujikura.co.jp/Light_com/1020/pdf/sj_12r.pdf＞
【発明の開示】
【発明が解決しようとする課題】
【０００４】
しかしながら、従来の心線対照器は、導通試験のために作業者が直接測定点で測定を行う必要がある上、曲げ損失特性に優れる光ファイバでは利用することができないといった課題があった。
【０００５】
従って、本発明は上記の事情に鑑み、光伝送線路（光ファイバ心線）の曲げ損失特性に関わらず、遠隔から、光伝送線路（光ファイバ心線）の導通試験を行うことができる光伝送線路の遠隔試験・監視方法及び遠隔試験・監視システムを提供することを課題とする。
【課題を解決するための手段】
【０００６】
上記課題を解決する第１発明の光伝送線路遠隔試験・監視方法は、光伝送線路の超音波励振部に設けた超音波励振装置によって前記光伝送線路の超音波励振部に超音波を励振することにより、前記超音波による音響光学効果によって前記光伝送線路の超音波励振部に光の漏洩を発生させ、
このときの前記光伝送線路（特に前記超音波励振部近傍）における後方散乱光の強度変動を、前記光伝送線路の端部に設けた光強度分布検知手段によって検知することにより、前記光伝送線路における光の導通を検知することを特徴とする。
【０００７】
また、第２発明の光伝送線路遠隔試験・監視方法は、第１発明の光伝送線路遠隔試験・監視方法において、
前記超音波励振装置の発振周波数又は発振電力又は発振のＯｎ／Ｏｆｆ又はこれらの全てを、前記光伝送線路の端部に設けた制御器によって、電波による無線信号又は光ファイバによる光信号を用いて遠隔から制御することを特徴とする。
【０００８】
また、第３発明の光伝送線路遠隔試験・監視方法は、第１又は第２発明の光伝送線路遠隔試験・監視方法において、
前記光強度分布検知手段は、前記光伝送線路におけるレイリー散乱光を受光するＯＴＤＲ、又は、前記光伝送線路におけるブリルアン散乱光を受光するＯＴＤＲであることを特徴とする。
【０００９】
また、第４発明の光伝送線路遠隔試験・監視システムは、光伝送線路の超音波励振部に設けられ、前記光伝送線路の超音波励振部に超音波を励振することにより、前記超音波による音響光学効果によって前記光伝送線路の超音波励振部に光の漏洩を発生させる超音波励振装置と、
前記光伝送線路の端部に設けられ、前記超音波励振装置によって前記光伝送線路に超音波を励振したときの前記光伝送線路（特に前記超音波励振部近傍）における後方散乱光の強度変動を検知することにより、前記光伝送線路における光の導通を検知する光強度分布検知手段と、
を有することを特徴とする。
【００１０】
また、第５発明の光伝送線路遠隔試験・監視システムは、第１光伝送線路を伝搬する光信号が分波器によって分波される複数の第２光伝送線路の何れか１つ又は２つ以上の超音波励振部に設けられ、前記第２光伝送線路の超音波励振部に超音波を励振することにより、前記超音波による音響光学効果によって前記第２光伝送線路の超音波励振部に光の漏洩を発生させる超音波励振装置と、
前記第１伝送線路の端部に設けられ、前記超音波励振装置によって前記第２光伝送線路に超音波を励振したときの前記第２光伝送線路（特に前記超音波励振部近傍）における後方散乱光の強度変動を検知することにより、前記第２光伝送線路における光の導通を検知する光強度分布検知手段と、
を有することを特徴とする。
【００１１】
また、第６発明の光伝送線路遠隔試験・監視システムは、第４又は第５発明の光伝送線路遠隔試験・監視システムにおいて、
前記光伝送線路の端部又は前記第２光伝送線路の端部に設けられ、前記超音波励振装置の発振周波数又は発振電力又は発振のＯｎ／Ｏｆｆ又はこれらの全てを、電波による無線信号又は光ファイバによる光信号を用いて遠隔から制御する制御器を有することを特徴とする。
【００１２】
また、第７発明の光伝送線路遠隔試験・監視システムは、第４〜第６発明の何れかの光伝送線路遠隔試験・監視システムにおいて、
前記光強度分布検知手段は、前記光伝送線路もしくは前記第１光伝送線路及び前記第２光伝送線路におけるレイリー散乱光を受光するＯＴＤＲ、又は、前記光伝送線路もしくは前記第１光伝送線路及び前記第２光伝送線路におけるブリルアン散乱光を受光するＯＴＤＲであることを特徴とする。
【発明の効果】
【００１３】
本発明の超音波を用いた光伝送線路の遠隔試験・監視方法及び遠隔試験・監視システムでは、光伝送線路の曲げ損失特性に関わらず導通試験を、測定点に赴くことなく遠隔で行える、といった効果を奏する。
【発明を実施するための最良の形態】
【００１４】
以下、本発明の実施の形態例を図面に基づき詳細に説明する。
【００１５】
＜実施の形態例１＞
図１（ａ）は本発明の実施の形態例１に係る光伝送線路遠隔試験・監視システムの構成図、図１（ｂ）は光ファイバ心線の超音波励振部における光波の様子を表す図、図１（ｃ）は前記光伝送線路遠隔試験・監視システムのＯＴＤＲで受光される光強度分布の例を示す図である。また、図２は図１（ａ）の光伝送線路遠隔試験・監視システムによる光伝送線路（光ファイバ心線）の導通試験の手順を例示するフローチャートである。
【００１６】
図１（ａ）に示すように、本実施の形態例１の光伝送線路遠隔試験・監視システムは、測定器１と超音波励振装置５と有している。超音波励振装置５は試験・監視対象の光伝送線路である光ファイバ心線４の超音波励振部Ｐに設けられ、この設置部（超音波励振部Ｐ）において光ファイバ心線４に超音波を励振する。その結果、原理の詳細は後述するが、光ファイバ心線４の超音波励振部Ｐでは、前記超音波による音響光学効果によって光の漏洩が発生する。
【００１７】
測定器１は光強度分布検知手段としてのＯＴＤＲ（Optical Time Domain Reflectometer）２と制御器３とを備えており、光ファイバ心線４の端部に設けられる。ＯＴＤＲ２は光ファイバ心線４の端部に設けられた状態で同端部から光ファイバ心線４にパルス光を入射し、このときに光ファイバ心線４で発生する後方散乱光（レイリー散乱光）及び反射光を受光することにより、この受光強度の変動を検知する（受光強度分布を得る）。制御器３は光ファイバ心線４の端部に設けられた状態で超音波励振装置５の発振周波数又は発振電力又は発振のＯｎ／Ｏｆｆ又はこれらの全てを遠隔から制御する。制御器３から超音波励振装置５への制御信号は、電波を用いた無線信号、或いは、既設の光伝送線路（光ファイバ）又は制御信号用光伝送線路（光ファイバ）を用いた光信号を用いて搬送する。
【００１８】
ここで前述の超音波による音響光学効果について詳述する。超音波励振装置５によって光ファイバ心線４に超音波を励振したとき、図１（ｂ）に示すように超音波励振部Ｐでは、超音波の周波数（波長）に対応した周期で回折格子が形成される。このため、光ファイバ心線４に入射する光波（パルス光）は前記回折格子において摂動を受け、次式（１）で表される位相整合条件を満たす場合に、ｍ次（ｍは１以上の自然数）の高次モードへ変換される。
【数１】
2009020029.tif 000003
この式（１）でβ0は入射光の伝搬定数、βmはｍ次の高次モードの伝搬定数、Λは超音波の波長を表す。前記回折格子によって高次モードへ変換された光波は、単一モードファイバにおける導波条件を満たしていないため超音波励振部Ｐで漏洩し、結果として超音波励振部Ｐにおいて光損失が生じる。なお、入射光が式（１）の位相整合条件を満たさない場合には、当該入射光のモード変換が生じないことから、超音波励振部Ｐにおける光損失は発生しない。
【００１９】
超音波励振装置５によって光ファイバ心線４に超音波を励振しても、式（１）の位相整合条件を満たしていない場合には、超音波による回折格子での入射光のモード変換は生じないことから、図１（ｃ）に実線で示すように超音波励振部Ｐの地点における光損失は発生しない。一方、式（１）の位相整合条件を満たす場合には、前述のとおり超音波励振部Ｐにおいて超音波による回折格子での入射光のモード変換が生じるため、図１（ｃ）に点線で示すように超音波励振部Ｐの地点で光損失が発生し、この光損失により、ＯＴＤＲ２の受光波形（受光強度分布）では超音波励振部Ｐの地点において不連続な点を発生する。従って、この超音波励振部Ｐの地点における不連続点を検知することにより、超音波を発生させた光伝送線路（光ファイバ心線４）に光波が導通していることが確認できる。なお、例えば超音波励振部Ｐの手前（ＯＴＤＲ２側）で光ファイバ心線４が故障（例えば断線）している場合には、図１（ｃ）に一点鎖線で示すように当該故障点（即ち超音波励振部Ｐ以外の地点）で光損失（不連続点）が発生する。
【００２０】
ここで図２のフローチャート及びに基づき、前記光伝送線路遠隔試験・監視システムを用いた光伝送線路（光ファイバ心線）の導通試験手順を説明する。なお、図２のフローチャートは試験対象の光ファイバ心線４が複数存在する場合の導通試験手順について例示している。
【００２１】
被試験体として選択した被試験光ファイバ心線４に対して測定器１及び超音波励振装置５を図１（ａ）に示すように設置した後、図２に示すように、まず、測定器１の制御部（制御器３）の制御信号により、超音波励振装置５で超音波励振部Ｐにおいて光ファイバ心線４に超音波を励振する（ステップＳ１）。次に測定器１のＯＴＤＲ２により、光ファイバ心線４に光を導通（パルス光を入射）し、この光によって光ファイバ心線４に発生する後方散乱光（レイリー散乱光）及び反射光を受光する（ステップＳ２）。ここで入射光と超音波の波長は式（１）の位相整合条件を満たしているものとする。
【００２２】
そして、ＯＴＤＲ２の受光波形（受光強度分布）において、超音波励振部Ｐの地点で光損失が発生しているか否かを判定する（ステップＳ３）。その結果、ステップＳ３において、超音波励振部Ｐで光損失が発生していると判定した場合（Ｙｅｓの場合）には、被試験体として選んだ光ファイバ心線４は該当の光ファイバ心線である、即ち超音波励振装置５によって励振されている光ファイバ心線であると判定し、且つ、当該光ファイバ心線４は導通している（正常である）と判定する（ステップＳ４）。
【００２３】
一方、ＯＴＤＲ２によってパルス光を入射した光ファイバ心線４と、超音波励振装置５によって超音波励振された光ファイバ心線４とが異なるためにステップＳ３において、超音波励振部Ｐで光損失が発生していると判定することができない場合（Ｎｏの場合）には、被試験体として選んだ光ファイバ心線４は該当の光ファイバ心線ではない、即ち超音波励振装置５によって励振されている光ファイバ心線ではないと判定し（ステップＳ５）、被試験体の光ファイバ心線を別の光ファイバ心線４に変更（選択）して（ステップＳ６）、ステップＳ２に戻り、再度、ステップＳ２で当該被試験光ファイバ心線４に対して光を導通（パルス光を入射）し、この光によって当該光ファイバ心線４に発生する後方散乱光（レイリー散乱光）及び反射光を受光する（ステップＳ２）。以後、上記と同様の手順を繰り返す。
【００２４】
なお、ＯＴＤＲ２によってパルス光を入射した光ファイバ心線４と、超音波励振装置５によって超音波励振された光ファイバ心線４とが同一で且つ当該光ファイバ心線４が故障（断線等）している場合にも、ステップＳ３では、超音波励振部Ｐで光損失が発生していると判定することができないが（Ｎｏの場合）、この場合にはステップＳ５，ステップＳ６及びステップＳ３が繰り返されて、全て光ファイバ心線４が試験される結果、最初に被試験体として選択した光ファイバ心線４に故障があると推定することができる。
【００２５】
また、上記は試験対象の光ファイバ心線４が複数存在する場合の導通試験手順例であるが、勿論、試験対象の光ファイバ心線４が１本であれば、ステップＳ５及びステップＳ６は不要であり、ステップＳ３で超音波励振部Ｐで光損失が発生していると判定することができない場合（Ｎｏの場合）には、当該光ファイバ心線４に故障がある推定することができる。
【００２６】
本発明の光伝送線路遠隔試験・監視システム（方法）は光ファイバの屈折率分布、空孔の有無に依らず適用できるため、従来の光ファイバ、曲げ損失特性に優れた光ファイバなど種々の光ファイバを用いた光線路に適用できる。
【００２７】
＜実施の形態例２＞
図３（ａ）は本発明の実施の形態例２に係る光伝送線路遠隔試験・監視システムの構成図、図３（ｂ）は前記光伝送線路遠隔試験・監視システムのＯＴＤＲで受光される光強度分布の例を示す図である。また、図４は図３の光伝送線路遠隔試験・監視システムによる光伝送線路（光ファイバ心線）の導通試験の手順を例示するフローチャートである。
【００２８】
図３に示すように、本実施の形態例２の光伝送線路遠隔試験・監視システムが試験・監視の対象としている光ネットワーク（ＰＯＮ：Passive Optical Network）は、１本の第１光伝送線路（第１光ファイバ心線１４）に分波器１５を介して複数（ｎ本）の第２光伝送線路（第２光ファイバ心線１６−１，１６−２，・・・，１６−ｎ）を接続した構成となっている。そして、この光ネットワークの試験・監視を行う本実施の形態例２の光伝送線路遠隔試験・監視システムは、測定器１１と超音波励振装置１７とを有している。
【００２９】
超音波励振装置１７は試験・監視対象の第２光伝送線路である第２光ファイバ心線１６−１，１６−２，・・・，１６−ｎの何れか１つ又は２つ以上の超音波励振部Ｑに設けられ（図３では第２光ファイバ心線１６−ｎに設置した場合を例示している）、この設置部（超音波励振部Ｑ）において当該光ファイバ心線１６−ｎに超音波を励振する。その結果、光ファイバ心線１６−ｎの超音波励振部Ｑでは、前記超音波による音響光学効果によって光の漏洩が発生する。この原理の詳細については上記実施の形態例１で説明したとおりであるため、ここでの説明は省略する。
【００３０】
測定器１１は光強度分布検知手段としてのＯＴＤＲ１２と制御器１３とを備えており、第１光ファイバ心線１４の端部に設けられる。ＯＴＤＲ１２は第１光ファイバ心線１４の端部に設けられた状態で同端部から第１光ファイバ心線１４にパルス光を入射し、このときに第１光ファイバ心線１４、分波器１５及び第２光ファイバ心線１６−１，１６−２，・・・，１６−ｎで発生する後方散乱光（レイリー散乱光）及び反射光を受光することにより、この受光強度の変動を検知する（受光強度分布を得る）。制御器１３は第１光ファイバ心線１４の端部に設けられた状態で超音波励振装置１７の発振周波数又は発振電力又は発振のＯｎ／Ｏｆｆ又はこれらの全てを遠隔から制御する。制御器１３から超音波励振装置１７への制御信号は、電波を用いた無線信号、或いは、既設の光伝送線路（光ファイバ）又は制御信号用光伝送線路（光ファイバ）を用いた光信号を用いて搬送する。
【００３１】
ＰＯＮにおける従来のＯＴＤＲ試験では、全ての第２光ファイバ心線からの後方散乱光および反射光を、分波器で合波してしまうため、分波器より下部で故障があった場合（即ち第２光ファイバ心線の何れかに故障がある場合）、故障がある第２光ファイバ心線を見分けることができない。
【００３２】
これに対して、本実施の形態例２の光伝送線路遠隔試験・監視システムでは、例えば第２光ファイバ心線１６−ｎに故障がある場合、この故障がある第２光ファイバ心線１６−ｎを見分けることができる。詳述すると、図３に例示するように第２光ファイバ心線１６−ｎに超音波励振装置１７を取り付けて、第２光ファイバ心線１６−ｎに超音波を励振させる。ここで入射光と超音波の波長は式（１）の位相整合条件を満たしているものとする。全ての第２光ファイバ心線１６−１，１６−２，・・・，１６−ｎで故障がない場合には、図３（ｂ）に実線で示すように分波器１５における光損失と、第２光ファイバ心線１６−ｎの超音波励振部Ｑにおける回折格子でのモード変換によって生じる光損失とにより、分波器１５の地点と超音波励振部Ｑの地点の２地点において不連続点が生じる。
【００３３】
一方、第２光ファイバ心線１６−ｎで故障が発生すると、図３（ｂ）に点線で示すように光ファイバ心線１６−ｎの超音波励振部Ｑに十分な光波が伝搬しないため、超音波励振部Ｑでの入射光のモード変換による光損失を観測することができず、このときに観測される不連続点は分波器１５の地点と故障点の２地点となる。
【００３４】
また、第２光ファイバ心線１６−ｎ以外の第２光ファイバ心線で故障が発生した場合、図３（ｃ）に一点鎖線で示すように第２光ファイバ心線１６−ｎの超音波励振部Ｑでの入射光のモード変換による光損失が観測できることから、観測される不連続点は分波器１５の地点と、故障点と、超音波励振部Ｑの地点の３地点となる。従って、ＯＴＤＲ１２の受光波形（受光強度分布）における不連続点の数および場所を観測することによって、超音波を励振させた第２光ファイバ心線１６−ｎで故障が発生しているかどうかを、遠隔で試験することができる。
【００３５】
ここで、複数の第２光ファイバ心線１６−１，１６−２，・・・，１６−ｎに対してそれぞれ超音波励振装置１７を設置し（即ち超音波励振部Ｑを設置し）、これらの第２光ファイバ心線１６−１，１６−２，・・・，１６−ｎについて超音波励振装置１７で超音波を発振させる第２光ファイバ心線を変えながら導通試験を行うことにより、第２光ファイバ心線１６−１，１６−２，・・・，１６−ｎの何れかに故障がある場合、この故障を有する第２光ファイバ心線を見分けることが可能となる。或いは、複数の第２光ファイバ心線１６−１，１６−２，・・・，１６−ｎに対してそれぞれ超音波励振装置１７を設置する際、各超音波励振装置１７の設置場所（即ち各第２光ファイバ心線１６−１，１６−２，・・・，１６−ｎの超音波励振部Ｑの位置）をＯＴＤＲ１２から異なる距離とすることにより、複数の第２光ファイバ心線１６−１，１６−２，・・・，１６−ｎに対して同時に導通試験を行っても、第２光ファイバ心線１６−１，１６−２，・・・，１６−ｎの何れかに故障がある場合、この故障を有する第２光ファイバ心線を見分けることが可能となる。
【００３６】
ここで図４のフローチャートに基づき、複数の第２光ファイバ心線１６−１，１６−２，・・・，１６−ｎのそれぞれに超音波励振装置１７を設置して、超音波を発振させる第２光ファイバ心線１６−１,１６−２,・・・,１６−ｎを変えながら導通試験を行う場合の手順を説明する。
【００３７】
第１光ファイバ心線１４に対して図３（ａ）に示すように測定器１１を設置し、且つ、第２光ファイバ心線１６−１,１６−２,・・・,１６−ｎのそれそれに対して超音波励振装置１７を設置した後、被試験体として選択した第２光ファイバ心線（例えば第２光ファイバ心線１６−１）に対して、図２に示すように、まず、測定器１の制御部（制御器３）の制御信号により、第２光ファイバ心線１６−１に設置された超音波励振装置１７で超音波励振部Ｑにおいて第２光ファイバ心線１６−１に超音波を励振する（ステップＳ１１）。次に測定器１１のＯＴＤＲ１２により、第１光ファイバ心線１４に光を導通（パルス光を入射）し、この光によって第１光ファイバ心線１４、分波器１５及び第２光ファイバ心線１６−１,１６−２,・・・,１６−ｎに発生する後方散乱光（レイリー散乱光）及び反射光を受光する（ステップＳ１２）。ここで入射光と超音波の波長は式（１）の位相整合条件を満たしているものとする。
【００３８】
そして、ＯＴＤＲ１２の受光波形（受光強度分布）において、超音波励振部Ｑ以外の地点において異常な光損失が認められるか否かを判定する（ステップＳ１３）。その結果、ステップＳ１３で超音波励振部Ｑ以外の地点において異常な光損失が認められないと判定した場合（Ｎｏの場合）には、この光ネットワークにおいては故障が発生していないと判定する。一方、ステップＳ１３で超音波励振部Ｑ以外の地点において異常な光損失が認められる判定した場合（Ｙｅｓの場合）には、更に、超音波励振部Ｑの地点において光損失が認められるか否かを判定する（ステップＳ１５）。ステップＳ１５で超音波励振部Ｑの地点において光損失が認められないと判定した場合（Ｎｏの場合）には、超音波を励振した第２光ファイバ心線１６−１において、異常な光損失が認められる地点で故障が発生していると判定する（ステップＳ１６）。一方、ステップＳ１５で超音波励振部Ｑの地点において光損失が認められる判定した場合（Ｙｅｓの場合）には、超音波を励振した第２光ファイバ心線１６−１ではない第２光ファイバ心線において故障が発生していると判定し（ステップＳ１７）、超音波を励振する第２光ファイバ心線を変更（例えば第２光ファイバ心線１６−２に変更）して（ステップＳ１８）、ステップＳ１２に戻り、再度、ステップＳ１２で測定器１１のＯＴＤＲ１２により、第１光ファイバ心線１４に光を導通（パルス光を入射）し、この光によって第１光ファイバ心線１４、分波器１５及び第２光ファイバ心線１６−１,１６−２,・・・,１６−ｎに発生する後方散乱光（レイリー散乱光）及び反射光を受光する。以後、上記と同様の手順を繰り返し、超音波励振装置１７を設置した全ての第２光ファイバ心線１６−１，１６−２，・・・，１６−ｎに対して導通試験を行う。
【００３９】
なお上記実施の形態例１，２の説明では、レイリー散乱光及び反射光を受光するＯＴＤＲ２，１２を用いた構成について説明したが、当該部分（光強度分布検知手段）は光伝送線路（光ファイバ心線）の光損失分布を観測できる他の手法であっても適用できる。例えば、光伝送線路（光ファイバ心線）にパルス光を入射し、このときのブリルアン散乱光を受光して光伝送線路（光ファイバ心線）中のブリルアン散乱スペクトルの分布を測定するブリルアンＯＴＤＲ（Ｂ−ＯＴＤＲ）などを適用することができる。
【産業上の利用可能性】
【００４０】
本発明の光伝送線路遠隔試験・監視方法及び光伝送線路遠隔試験・監視システムは、光伝送線路（光ファイバ心線）の曲げ損失特性に関わらず、光伝送線路の遠隔からの試験及び監視に用いることができる。
【図面の簡単な説明】
【００４１】
【図１】（ａ）は本発明の実施の形態例１に係る光伝送線路遠隔試験・監視システムの構成図、（ｂ）は光ファイバ心線の超音波励振部における光波の様子を表す図、（ｃ）は前記光伝送線路遠隔試験・監視システムのＯＴＤＲで受光される光強度分布の例を示す図である。
【図２】図１（ａ）の光伝送線路遠隔試験・監視システムによる光伝送線路（光ファイバ心線）の導通試験の手順を例示するフローチャートである。
【図３】（ａ）は本発明の実施の形態例２に係る光伝送線路遠隔試験・監視システムの構成図、（ｂ）は前記光伝送線路遠隔試験・監視システムのＯＴＤＲで受光される光強度分布の例を示す図である。
【図４】図３の光伝送線路遠隔試験・監視システムによる光伝送線路（光ファイバ心線）の導通試験の手順を例示するフローチャートである。
【符号の説明】
【００４２】
１  測定器
２  ＯＴＤＲ
３  制御器
４  光ファイバ心線
５  超音波励振装置
Ｐ  超音波励振部
１１  測定器
１２  ＯＴＤＲ
１３  制御器
１４  第１光ファイバ心線
１５  分波器
１６−１，１６−２，・・・，１６−ｎ  第２光ファイバ心線
１７  超音波励振装置
Ｑ  超音波励振部
【図１】
2009020029.tif 000004
【図２】
2009020029.tif 000005
【図３】
2009020029.tif 000006
【図４】
2009020029.tif 000007